(57)【要約】【課題】狭隘な敷地でも回転圧入杭を打設することができる打設方法を提供する。【解決手段】地盤にコンクリート部材１２１を、回転圧入鋼管杭１１０に相当する位置に回転圧入杭１１０が通過可能な貫通孔１２２が形成されるように構築し、杭打ち機１０によりコンクリート部材１２１に回転圧入鋼管杭１１０の回転反力及び打込み反力を取りながら、貫通孔１２２を通して、回転圧入鋼管杭１１０を回転圧入する。【選択図】図３
2008248537.tif 000002
【特許請求の範囲】
【請求項１】
地盤に回転圧入杭を打設する方法であって、
前記地盤にコンクリート部材を、前記回転圧入杭の打設箇所を除く部位に構築するコンクリート構築工程と、
前記コンクリート部材に前記回転圧入杭の回転反力及び打込み反力を取りながら、杭打ち機により前記回転圧入杭を回転圧入する杭圧入工程と、を備えることを特徴とする回転圧入杭の打設方法。
【請求項２】
前記コンクリート部材を、前記回転圧入杭の打設箇所において貫通孔を有するように構築することを特徴とする請求項１記載の回転圧入杭の打設方法。
【請求項３】
前記コンクリート部材及び前記杭打ち機には、それぞれ、互いに係合することにより前記杭打ち機の移動を拘束する拘束部材が設けられ、
前記杭圧入工程では、前記拘束部材を互いに係合させることにより前記コンクリート部材に前記回転反力及び打込み反力を取ることを特徴とする請求項１又は２に記載の回転圧入杭の打設方法。
【請求項４】
前記コンクリート部材に設けられた前記拘束部材は、前記コンクリート部材から突出する突出部材であり、
前記杭打ち機に設けられた前記拘束部材は、前記突出部材を把持可能な把持機構であり、
前記杭圧入工程では、前記把持機構に前記突出部材を把持させることにより、前記コンクリート部材に反力を取ることを特徴とする請求項３記載の回転圧入杭の打設方法。
【請求項５】
前記杭打ち機は、全周回転機であることを特徴とする請求項１から４何れかに記載の回転圧入杭の打設方法。
【請求項６】
前記コンクリート部材は、前記回転圧入杭が支持する建物の基礎躯体の一部であることを特徴とする請求項１から５何れかに記載の回転圧入杭の打設方法。
【請求項７】
前記基礎躯体は、フーチングであることを特徴とする請求項６記載の回転圧入杭の打設方法。
【請求項８】
回転圧入杭及びコンクリート製の基礎躯体からなる基礎構造の構築方法であって、
前記回転圧入杭の打設箇所を除く部位に、前記基礎躯体の少なくとも一部を構成するコンクリート部材を構築する工程と、
前記コンクリート部材に前記回転圧入杭の回転反力及び打込み反力を取りながら、杭打ち機により前記回転圧入杭を回転圧入する工程と、を備えることを特徴とする基礎構造の構築方法。
【請求項９】
請求項８記載の基礎構造の構築方法により構築されたことを特徴とする基礎構造。
【発明の詳細な説明】
【技術分野】
【０００１】
本発明は、狭隘な敷地でも回転圧入杭を打設することのできる回転圧入杭の打設方法及びこの回転圧入杭の打設方法を用いた基礎構造の構築方法に関する。
【背景技術】
【０００２】
従来より、杭先端部に螺旋状の羽根を設けた回転圧入鋼管杭に回転力を付与しながら圧入することにより杭を打設する工法が知られている。回転圧入鋼管杭を用いた工法は、廃土が排出されず、また、逆回転させることにより容易に杭を抜くことができるという利点があるため広く用いられている。
【０００３】
回転圧入鋼管杭を打設する際には、回転圧入鋼管杭に十分な回転力及び鉛直打込み力を加えながら打設しなければならない。このような回転圧入鋼管杭を打設する際に用いられる杭打機として、例えば、特許文献１に記載されているような、地盤に貫入させることができる杭部材を備えた全周回転機を用いることができる。また、特許文献２に記載されているような、オーガモータが接続された三点式杭打ち機により回転圧入鋼管杭を打設することも考えられる。
【特許文献１】特開２０００―９６９７１号公報
【特許文献２】特許第２５５８７６２号公報
【発明の開示】
【発明が解決しようとする課題】
【０００４】
近年、住宅のリニューアルなどの工事においても、回転圧入鋼管杭を利用することが望まれている。しかしながら、住宅地のような狭隘な敷地で工事を行う場合、特許文献２に記載されているような杭打ち機では大きすぎて使用することが困難なことが多い。また、狭隘な敷地で用いることができるように上記の三点式杭打ち機を小型化することも考えられるが、小型化してしまうと、自重が不足し、回転反力や打込み反力が十分に取れないため、太径の回転圧入鋼管杭を打設することができない。
【０００５】
また、特許文献１に記載されている全周回転機を用いて回転圧入鋼管杭を打設すれば、地盤に貫入させた杭部材により回転反力をとることはできるものの、打込み反力は十分にとることができず、カウンターウェイトなどを用いる必要がある。しかし、この場合、装置が大型化してしまうため、狭隘な敷地では用いることができないという問題がある。
【０００６】
本発明は、上記の問題に鑑みなされたものであり、狭隘な敷地でも回転圧入杭を打設できるようにすることを目的とする。
【課題を解決するための手段】
【０００７】
本発明の回転圧入杭の打設方法は、地盤に回転圧入杭を打設する方法であって、前記地盤にコンクリート部材を、前記回転圧入杭の打設箇所を除く部位に構築するコンクリート構築工程と、前記コンクリート部材に前記回転圧入杭の回転反力及び打込み反力を取りながら、杭打ち機により前記回転圧入杭を回転圧入する杭圧入工程と、を備えることを特徴とする。
ここで、前記コンクリート部材を、前記回転圧入杭の打設箇所において貫通孔を有するように構築してもよい。
【０００８】
ここで、前記コンクリート部材及び前記杭打ち機には、それぞれ、互いに係合することにより前記杭打ち機の前記回転方向及び鉛直方向の移動を拘束する拘束部材が設けられ、前記杭圧入工程では、前記拘束部材を互いに係合させることにより前記コンクリート部材に前記回転反力及び打込み反力を取ってもよい。
【０００９】
また、前記コンクリート部材に設けられる前記拘束部材は、前記コンクリート部材から突出する突出部材であり、前記杭打ち機に設けられた前記拘束部材は、前記突出部材を把持可能な把持機構であり、前記杭圧入工程では、前記把持機構が前記突出部材を把持することにより、前記コンクリート部材に反力を取ってもよい。
【００１０】
また、前記杭打ち機は、全周回転機であってもよい。また、前記コンクリート部材は、前記回転圧入杭が支持する建物の基礎躯体の一部であってもよく、また、フーチングの少なくとも一部であってもよい。
【００１１】
また、本発明の基礎構造の構築方法は、回転圧入杭及びコンクリート製の基礎躯体からなる基礎構造の構築方法であって、前記回転圧入杭の打設箇所を除く部位に、前記基礎躯体の少なくとも一部を構成するコンクリート部材を構築する工程と、前記コンクリート部材に前記回転圧入杭の回転反力及び打込み反力を取りながら、杭打ち機により前記回転圧入杭を回転圧入する工程と、を備えることを特徴とする。
また、本発明の基礎構造は、上記の基礎構造の構築方法により構築されたことを特徴とする。
なお、本発明において、「コンクリート」は、鉄筋コンクリート、鉄骨コンクリート、鉄骨鉄筋コンクリートを含む概念である。
【発明の効果】
【００１２】
本発明によれば、重量の大きなコンクリート部材より回転反力及び打込み反力を取ることができるため、狭隘な敷地であっても太径の回転圧入杭を打設することができる。
【発明を実施するための最良の形態】
【００１３】
以下、本発明の回転圧入杭の打設方法の一実施形態を図面を参照しながら詳細に説明する。
図１は、本実施形態の回転圧入鋼管杭の打設方法の杭打ち機として用いられる全周回転機１０の構成を示す図である。
同図に示すように、全周回転機１０は、地盤に接地する脚部１６と、脚部１６により支持されるベースフレーム１８と、ベースフレーム１８の上部に接続された上下に伸縮可能な昇降シリンダ１１と、昇降シリンダ１１により支持された昇降フレーム１２と、昇降フレーム１２に取り付けられた旋回装置１３と、旋回装置１３の内周に取り付けられたクランプ装置１４と、ベースフレーム１８の下部に取り付けられた把持装置１５と、移動用のキャタピラ１７とを備える。
【００１４】
脚部１６は、その長さを変化し得るように構成されており、脚部１６の長さを調整することによりベースフレーム１８を水平に保つことができる。また、ベースフレーム１８の中央には、回転圧入鋼管杭１１０を挿通させるための貫通孔１８Ａが設けられている。
【００１５】
昇降フレーム１２は、昇降シリンダ１１が伸縮することによりベースフレーム１８に対して上下方向に近接又は離間することができる。昇降フレーム１２の中央には、回転圧入鋼管杭１１０を挿通させるための貫通孔１２Ａが設けられている。この貫通孔１２Ａには、回転圧入鋼管杭１１０の外周を締め付けて保持することができるクランプ装置１４が設けられており、このクランプ装置１４は、旋回装置１３により軸周りに回転可能に昇降フレーム１２に取り付けられている。
ベースフレーム１８に取り付けられた把持装置１５は、油圧ジャッキなどにより駆動され、後述するコンクリート部材側の固定ピースを挟持することができる。
【００１６】
上記した構成の全周回転機１０によれば、クランプ装置１４によって回転圧入鋼管杭１１０を保持した状態で、旋回装置１３でクランプ装置１４を旋回させることにより回転圧入鋼管杭１１０を回転させるとともに、昇降シリンダ１１を収縮させて昇降フレーム１２を降下させることにより、回転圧入鋼管杭１１０を地盤に回転圧入することができる。
【００１７】
以下、上記の全周回転機１０を用いた本実施形態の回転圧入鋼管杭の打設方法を説明する。以下の説明では、図２に示すように、狭隘な敷地に複数の回転圧入鋼管杭１１０及びフーチング１２０からなる基礎構造１３０によって支持される上部構造物１４０を含む建物１００を構築する場合を例として説明する。
【００１８】
図３は、本実施形態の回転圧入鋼管杭の打設方法により複数の回転圧入鋼管杭及びフーチングからなる基礎構造を備えた建物を構築する工程を説明するための図である。
同図（Ａ）に示すように、まず、フーチング１２０を構成するコンクリート部材１２１を構築する。この際、コンクリート部材１２１の、回転圧入鋼管杭１１０の打設箇所には回転圧入鋼管杭１１０を挿通可能な貫通孔１２２を形成し、また、各貫通孔１２２の近傍には、Ｈ型鋼からなる固定ピース１２３を、コンクリート部材１２１の上面より突出するように設けておく。なお、貫通孔１２２を形成する方法としては、コンクリートを打設する前に、円筒状の型枠を設置しておき、コンクリート硬化後にこの型枠を解体してもよく、また、円筒状のＰＣ部材や鋼管などを埋設する構成としてもよい。また、固定ピース１２３は、全周回転機１０の把持装置１５により把持することができれば、コンクリート部材１２１の側面より突出するように設けてもよい。
【００１９】
次に、図３（Ｂ）に示すように、フーチング１２０を構成するコンクリート部材１２１のいずれかの貫通孔１２２を跨ぐように、全周回転機１０をクレーンによる揚重又はキャタピラによる自走により移動し（図中はクレーンによる揚重）、全周回転機１０の脚部１６をコンクリート部材１２１の表面に接地させる。
【００２０】
次に、図３（Ｃ）に示すように、全周回転機１０のベースフレーム１８に取り付けられた把持装置１５により、固定ピース１２３を把持する。これにより、全周回転機１０は、固定ピース１２３を介して、コンクリート部材１２１より回転反力及び打込み反力を取ることができる。
【００２１】
次に、図３（Ｄ）に示すように、回転圧入鋼管杭１１０を昇降フレーム１２の貫通孔１２Ａに上方から挿入し、クランプ装置１４により回転圧入鋼管杭１１０を外周より締め付ける。そして、このようにクランプ装置１４により回転圧入鋼管杭１１０を締め付けた状態で、旋回装置１３を回転させるとともに、昇降シリンダ１１を収縮させて昇降フレーム１２を下降させることにより、回転圧入鋼管杭１１０を回転圧入する。その際、全周回転機１０には、回転圧入鋼管杭１１０から回転力と地盤反力が作用する。しかしながら、全周回転機１０は、把持装置１５により固定ピース１２３を介してコンクリート部材１２１より回転反力及び打込み反力を取ることができるため、この回転力と地盤反力に対して抵抗することができる。特に、太径の回転圧入鋼管杭１１０を打設する場合には、より大きな回転力及び地盤反力が全周回転機１０に作用するが、フーチング１２０を構成するコンクリート部材１２１は重量が大きいため、これらの回転力及び地盤反力に対して十分に抵抗することが可能である。このようにして、回転圧入鋼管杭１１０を、必要に応じて継ぎ足しながら所定の深さまで打設し、回転圧入杭１１０の上端がフーチング１２０を構成するコンクリート部材１２１の下面程度の深さになった状態とする。
【００２２】
次に、同図（Ｅ）に示すように、他の貫通孔１２２に対しても、同図（Ｂ）〜（Ｄ）と同様に、貫通孔１２２上に全周回転機１０を移動し、把持装置１５により固定ピース１２３を把持し、回転圧入鋼管杭１１０を回転圧入する工程を行う。
【００２３】
次に、同図（Ｆ）に示すように、回転圧入鋼管杭１１０の回転圧入が完了したコンクリート部材１２１から全周回転機１０を除去した後、このコンクリート部材１２１の貫通孔１２２にコンクリート１２４を打設すると共に、固定ピース１２３のコンクリート部材１２１上に突出した部分を切断する。これによりフーチング１２０の構築が完了する。そして、フーチング１２０上に建物の上部構造物１４０を構築する。
以上の工程により、回転圧入鋼管杭１１０と、フーチング１２０とからなる基礎構造を備えた建物１００を構築することができる。
【００２４】
以上説明したように、本実施形態の回転圧入鋼管杭の打設方法によれば、全周回転機１０に把持装置１５を設け、この把持装置１５により、フーチング１２０を構成するコンクリート部材１２１に埋設された固定ピース１２３を把持することで、コンクリート部材１２１より回転反力及び打込み反力を取ることができる。このため、小型軽量の全周回転機１０であっても、カウンターウェイトを設けたりすることなく、回転圧入鋼管杭１１０から全周回転機１０に作用する回転力及び地盤反力に抵抗することができ、狭隘な敷地でも太径の回転圧入鋼管杭１１０の打設が可能となる。また、小型軽量の全周回転機１０の使用が可能となることで、全周回転機１０を揚重するクレーンも小型のものを用いることができる。また、全周回転機１０を自走式にすれば、天井高の限られた空間での施工の際にも太径の回転圧入鋼管杭１１０を打設することができる。
【００２５】
なお、本実施形態では、回転圧入鋼管杭１１０を打設する場合について説明したが、これに限らず、ＰＣ部材からなる回転圧入杭を打設する場合にも本実施形態の回転圧入杭の打設方法を用いることができる。
【００２６】
また、本実施形態では、貫通孔１２２を除くフーチング１２０全体を構成するコンクリート部材１２１から回転反力及び打込み反力を取る構成としたが、これに限らず、回転圧入鋼管杭１１０を打設する際に十分な回転反力及び打込み反力を取ることができれば、これら反力をとるべく構築するコンクリート部材はフーチング１２０の一部のみとしてもよい。
【００２７】
また、本実施形態では、フーチング１２０と回転圧入鋼管杭１１０とからなる基礎構造１３０を備えた建物１００を構築する場合について説明したが、これに限らず、他の形式の基礎構造と回転圧入鋼管杭１１０とからなる基礎構造であっても、他の形式の基礎構造が十分に重量を有する構造であれば、本実施形態の回転圧入交換杭の打設方法を適用することができる。
【００２８】
また、本実施形態では、固定ピース１２３としてＨ型鋼を用いたが、これに限らず、コンクリート部材１２１と一体となり、把持装置１５により把持することが可能である部材であれば用いることができる。さらに、これに限らず、コンクリート部材１２１と全周回転機１０にそれぞれ設けられた係止部材が互いに係合することにより、全周回転機１０を回転圧入鋼管杭１１０の回転方向及び鉛直方向に拘束することで、コンクリート部材１２１に回転反力及び打込み反力をとることが可能な任意の機構を用いることができる。例えば、コンクリート部材１２１及び全周回転機１０の一方にボルト、他方にナットを設け、これらボルトとナットを螺合させることで、コンクリート部材１２１に反力を取るようにしてもよい。
【００２９】
また、上記実施形態ではコンクリート部材１２１に貫通孔１２２を設け、この貫通孔１２２を通して回転圧入鋼管杭１１０を回転圧入することとしたが、貫通孔１２２に限らず、コンクリート部材１２１を回転圧入鋼管杭１１０の圧入箇所において分断するなど、コンクリート部材１２１の回転圧入鋼管杭１１０を圧入する箇所に空間が設けられていればよく、この空間や上記貫通孔１２２は、中空であってもよいし、内部に地盤を構成する土などが残存していてもよい。
【図面の簡単な説明】
【００３０】
【図１】全周回転機の構成を示す図である。
【図２】複数の回転圧入鋼管杭及びフーチングからなる基礎構造上に上部構造物が構築された建物を示す図である。
【図３】本実施形態の回転圧入鋼管杭の打設方法により複数の回転圧入鋼管杭及びフーチングからなる基礎構造を備えた建物を構築する工程を説明するための図である。
【符号の説明】
【００３１】
１０  全周回転機
１１  昇降シリンダ
１２  昇降フレーム
１３  旋回装置
１４  クランプ装置
１５  把持装置
１６  脚部
１７  キャタピラ
１８  ベースフレーム
１００  建物
１１０  回転圧入鋼管杭
１２０  フーチング
１２１  コンクリート部材
１２２  貫通孔
１２３  固定ピース
１２４  コンクリート
１３０  基礎構造
１４０  上部構造物
【図１】
2008248537.tif 000003
【図２】
2008248537.tif 000004
【図３】
2008248537.tif 000005
【手続補正書】
【提出日】平成19年4月2日(2007.4.2)
【手続補正１】
【補正対象書類名】明細書
【補正対象項目名】０００３
【補正方法】変更
【補正の内容】
【０００３】
回転圧入鋼管杭を打設する際には、回転圧入鋼管杭に十分な回転力及び鉛直打込み力を加えながら打設しなければならない。このような回転圧入鋼管杭を打設する際に用いられる杭打機として、例えば、特許文献１に記載されているような、地盤に貫入させることができる杭部材を備えた全周回転機を用いることができる。また、特許文献２に記載されているような、オーガモータが接続された三点式杭打ち機により回転圧入鋼管杭を打設することも考えられる。
【特許文献１】特開２０００―９６９７１号公報
【特許文献２】実用新案登録第２５５８７６２号公報